(57)【要約】【課題】  スプレー式洗車機および自動洗車機のうちの少なくとも一方の洗車機と、洗車後の拭き取り等の仕上げ作業を随時に行い得る自由エリアとを備えた洗車場において、洗車場内に待機させる指導員によりユーザに対し洗車作業の指導を行うと共に必要な洗車器具・処理剤および実習エリアを提供できるようにして、洗車の知識や経験の少ないユーザであっても自分で専門的な洗車作業を容易に実行可能とする。【解決手段】  洗車場に来場したユーザが洗車作業の講習を受けるための講習スペースＣ１と、ユーザに貸し出す洗車器具・処理剤を保管するための保管スペースＣ２とを少なくとも有すると共に、ユーザに洗車作業の指導を行う指導員が待機する建物Ｂが洗車場の敷地内に設置されており、更にその敷地内には、ユーザが洗車器具・処理剤を用いて洗車作業を行うための実習エリアＡｊ１〜Ａｊ５が設けられる。【選択図】  図１
2005313811.tif 000002
【特許請求の範囲】
【請求項１】
洗車を手作業で行うためのスプレーガンを有するスプレー式洗車機、および洗車を自動的に行う自動洗車機のうちの少なくとも一方の洗車機と、洗車後の拭き取り等の仕上げ作業を随時に行い得る自由エリアとを備えた洗車場において、
洗車場に来場したユーザが洗車作業の講習を受けるための講習スペースと、ユーザに使わせる洗車器具・処理剤を保管するための保管スペースとを少なくとも有すると共に、ユーザに洗車作業の指導を行う指導員が待機する建物が洗車場の敷地内に設置され、
更にその敷地内には、前記ユーザが前記洗車器具・処理剤を用いて洗車作業を行うための実習エリアが設けられることを特徴とする、洗車場。
【請求項２】
前記講習スペースには、前記洗車作業の講習に用いる視聴覚機器が設置されていることを特徴とする、請求項１に記載の洗車場。
【請求項３】
前記実習エリアには、前記洗車器具に着脱可能に接続されて該洗車器具を作動させるための附帯機器が設けられることを特徴とする、請求項１又は２に記載の洗車場。
【請求項４】
請求項１〜３の何れかに記載の洗車場を利用した洗車方法であって、
洗車場に来場したユーザに前記講習スペースで洗車作業の講習を受けさせた後、前記保管スペース内の洗車器具・処理剤を用いて前記実習エリアでユーザに洗車作業の実習をさせ、
前記講習及び実習の少なくとも一方を実行するに当り前記指導員がユーザを指導するようにしたことを特徴とする、洗車方法。
【請求項５】
ユーザが前記講習スペースで洗車の講習を受ける前に、そのユーザの自動車に対する汚れ診断を前記指導員が行い、その診断結果を該ユーザに伝えるようにしたことを特徴とする、請求項４に記載の洗車方法。
【請求項６】
ユーザが前記講習スペースで洗車の講習を受ける前に、そのユーザの自動車を予め前記洗車場内の前記洗車機で洗車しておくことを特徴とする、請求項４又は５に記載の洗車方法。
【発明の詳細な説明】
【技術分野】
【０００１】
本発明は、洗車を手作業で行うためのスプレーガンを有するスプレー式洗車機、および洗車を自動的に行う自動洗車機のうちの少なくとも一方の洗車機と、洗車後の拭き取り等の仕上げ作業を随時に行い得る自由エリアとを備えた洗車場、及びその洗車場を利用した洗車方法に関する。
【背景技術】
【０００２】
上記洗車場は、例えばユーザ自らが洗車作業を行うセルフ式洗車場として、従来から知られている（下記の特許文献１を参照）。
【０００３】
この特許文献１に記載される洗車場では、スプレー式洗車機のスプレーガンをユーザが手にして自動車の車体面を手作業でスプレー洗車し、洗車後は、自動車を自由スペースに移動させて車体面の残留水を拭き取る等の仕上げ作業を行うようにしている。
【特許文献１】特開平５−２２９４０７号公報
【発明の開示】
【発明が解決しようとする課題】
【０００４】
従来のセルフ式洗車場では、ユーザが自身の乏しい洗車知識で自動車を手作業で直接洗車するだけであるか、或いは従来普通の自動洗車機により自動洗車を単に行うだけであったため、車体面に強固に付着した水垢、タールピッチ、鉄粉、油膜等の付着物（以下、強固付着物という）を綺麗に除去することは困難であった。
【０００５】
また、従来のセルフ式洗車場では、そこに管理者が置かれていない場合が多いため、洗車機等の設備機器に何かトラブルが発生すると対応が遅れる問題がある。またこの問題は、管理者を常駐させた場合には解消されるが、その場合には、トラブルの起きてない平時に管理者が時間を持て余し、コスト節減を図る上で不利となる。
【０００６】
ところで従来一般の洗車場においては、前記強固付着物を手作業で綺麗に除去し得る車両清浄処理作業（以下、単に専門的洗車作業という）の知識や技能をユーザに対し伝授する手段が用意されていないばかりか、その専門的洗車作業をユーザ自身が行う際に用いる洗車器具・処理剤の貸し出しも行われておらず、また、その専門的洗車作業を代行する請け負い作業者もいなかった。
【０００７】
そこでセルフ式洗車場において、そこに管理者を常駐させて、その管理者に専門的洗車作業を代行させるようなことが考えられるが、管理者自身が専門的洗車作業を代行してしまうと、作業時間が必要以上に取られて人手が足りなくなる上、ユーザ自身が愛車に対する専門的洗車作業を自分で納得のゆくまで行いたいという自然な欲求を満たし得ないという不都合があり、また請け負いで専門的洗車作業を代行させた場合には、その作業結果や費用にユーザが不満を抱いてトラブルの原因となることがある。
【０００８】
本発明は、上記問題に鑑みてなされたもので、洗車場内に待機させる指導員によりユーザに対し洗車作業の指導を行うと共に必要な洗車器具・処理剤および実習エリアを提供できるようにして、洗車の知識や経験の少ないユーザであっても自分で専門的洗車作業を容易に実行可能とし、従来の問題を一挙に解消できる洗車場及び洗車方法を提供することを目的とする。
【課題を解決するための手段】
【０００９】
上記目的を達成するために、請求項１の発明は、洗車を手作業で行うためのスプレーガンを有するスプレー式洗車機、および洗車を自動的に行う自動洗車機のうちの少なくとも一方の洗車機と、洗車後の拭き取り等の仕上げ作業を随時に行い得る自由エリアとを備えた洗車場において、洗車場に来場したユーザが洗車作業の講習を受けるための講習スペースと、ユーザに使わせる洗車器具・処理剤を保管するための保管スペースとを少なくとも有すると共に、ユーザに洗車作業の指導を行う指導員が待機する建物が洗車場の敷地内に設置され、更にその敷地内には、前記ユーザが前記洗車器具・処理剤を用いて洗車作業を行うための実習エリアが設けられることを特徴とする。
【００１０】
また請求項２の発明は、請求項１の上記特徴に加えて、前記講習スペースには、洗車作業の講習に用いる視聴覚機器が設置されていることを特徴とする。
【００１１】
また請求項３の発明は、請求項１又は２の上記特徴に加えて、前記実習エリアには、前記洗車器具に着脱可能に接続されて該洗車器具を作動させるための附帯機器が設けられることを特徴とする。
【００１２】
また請求項４の発明は、請求項１〜３の何れかに記載の洗車場を利用した洗車方法であって、洗車場に来場したユーザに前記講習スペースで洗車作業の講習を受けさせた後、前記保管スペース内の洗車器具・処理剤を用いて前記実習エリアでユーザに洗車作業の実習をさせ、前記講習及び実習の少なくとも一方を実行するに当り前記指導員がユーザを指導するようにしたことを特徴とする。
【００１３】
また請求項５の発明は、請求項４の上記特徴に加えて、ユーザが前記講習スペースで洗車の講習を受ける前に、そのユーザの自動車に対する汚れ診断を前記指導員が行い、その診断結果を該ユーザに伝えるようにしたことを特徴とする。
【００１４】
また請求項６の発明は、請求項４又は５の上記特徴に加えて、ユーザが前記講習スペースで洗車の講習を受ける前に、そのユーザの自動車を予め前記洗車場内の前記洗車機で洗車しておくことを特徴とする。
【発明の効果】
【００１５】
本発明によれば、洗車場内に、ユーザに対する洗車作業を指導し得る指導員を待機させ、更にその洗車場に、上記洗車作業に必要な洗車器具・処理剤を用意し、指導された洗車作業をユーザに実際に行わせる実習エリアも確保したので、洗車の知識や経験の乏しいユーザに対しても、洗車作業、例えば水垢等の強固付着物を除去する専門的洗車作業のやり方を指導しながら、ユーザ自身にその洗車作業を納得のいくまで十分に行わせることができ、しかもユーザは、上記洗車作業のための洗車器具・処理剤を特別に用意したり洗車場に持ち込む必要はなく、頗る便利である。また、指導員は、上記洗車作業を代行せずに作業の仕方を単に指導するだけであるため、複数のユーザ相手でも時間を長く取られることなく容易に対応でき、しかもこの指導員に洗車場の管理者の役目も兼務させるようにすれば、洗車機等の機器のトラブルにも迅速に対応可能となり、従って専任の管理者や、専門的洗車作業の代行作業員を常駐させる場合と比べてコスト節減が図られる。
【００１６】
また特に請求項２の発明によれば、洗車場に設けた建物内の講習スペースには、洗車作業の講習に用いる視聴覚機器が設置されているので、その視聴覚機器を使って洗車作業の講習を効率よく且つ的確に行うことができ、指導員の作業負担軽減が図られる。
【００１７】
また特に請求項３の発明によれば、実習エリアには、貸し出される洗車器具に着脱可能に接続されて該洗車器具を作動させるための附帯機器が設けられるので、貸し出される洗車器具を実習エリアで支障なく利用可能となる。
【００１８】
また特に請求項５の発明によれば、ユーザが講習スペースで洗車の講習を受ける前に、そのユーザの自動車の汚れ診断を指導員が行い、その診断結果をユーザに伝えるようにしたので、ユーザは、自動車の汚れ具合（診断結果）に応じて、受けるべき講習内容を的確に選別可能となって、講習を効率よく受けることができる。
【００１９】
また特に請求項６の発明によれば、ユーザが講習スペースで洗車の講習を受ける前に、そのユーザの自動車を予め洗車場内の洗車機で洗車しておくようにしたので、その洗車後の車体面における強固付着物の付着状態（即ち通常洗車によってもなお残る汚れ具合）を確認した上で、しかも車体面を予め適度に湿らせ且つ清浄にした状態で専門的洗車作業に移行できて、その専門的洗車作業を迅速且つ的確に行うことができる。
【発明を実施するための最良の形態】
【００２０】
以下、本発明の実施の形態を、添付図面に例示した本発明の実施例に基づいて以下に具体的に説明する。
【００２１】
添付図面において、図１〜図３は、本発明の一実施例を示すものであって、図１は、洗車場の概略全体斜視図、図２は、洗車場の建物内の一例を示す平断面図、図３は、実習エリアでユーザが洗車作業を実習している状態を示す説明図、図４は、ユーザの洗車場入場から退場までの流れの一例を示すフローチャートである。
【００２２】
洗車場は、方形状の広大な敷地Ｅを有しており、この敷地Ｅ内には、複数のスプレー式洗車機ＳＷと、複数の自動洗車機ＡＷと、管理棟及び講習室を兼ねる建物Ｂと、洗車機ＳＷ，ＡＷによる洗車後においてユーザが自動車車体面の拭き取り等の仕上げ作業を随時に行い得る自由エリアＡｆ１〜Ａｆ３と、ユーザが建物Ｂ内で洗車作業の講習を受けた後に実際に洗車作業を行うための実習エリアＡｊ１〜Ａｊ５と、十分な駐車エリア（図示せず）とが設けられる。
【００２３】
前記敷地Ｅの道路側の一側には、ユーザの自動車が出入りする出入口ＩＯが開設されており、その出入口ＩＯに対応する敷地Ｅの中ほどに、ドライブスルー式に各々構成された前記スプレー式洗車機ＳＷ及び自動洗車機ＡＷが並列状態で設置されている。
【００２４】
各スプレー式洗車機ＳＷは、自動車が通り抜け可能な細長い設置面の一側部に立設された固定の洗車機本体１と、その洗車機本体１から延び出す可撓性の長いホース２と、そのホース２の端末に接続された、洗車を手作業で行うためのスプレーガン３とを有する。洗車機本体１には、スプレーガン３からの洗浄水の噴射圧や水量等を調整可能なコントロール部４が付設される。
【００２５】
このスプレー式洗車機ＳＷで洗車を行う場合は、その設置面に自動車を止め、スプレーガン３を手にしたユーザが高圧の洗浄水を車体面に噴射させて車体面の汚れを洗い流すようにする。尚、このようなスプレー式洗車機ＳＷの構造および使用態様は、従来周知である。
【００２６】
また各自動洗車機ＡＷは、自動車が通り抜け可能な細長い設置面に付設した左右一対のガイドレール５上を往復走行可能な門型の洗車機本体６を備えており、その洗車機本体６内には、自動車を自動洗浄するための種々の洗浄機器（例えばトップブラシ、サイドブラシ、トップノズル、サイドノズル、洗浄水噴射ノズル等）が設けられ、また自動洗車機ＡＷの入口側の設置面に立設した操作ボックスには、自動洗車機ＡＷに対するコントロール部７が設けられる。
【００２７】
その自動洗車機ＡＷで洗車を行う場合は、その左右のガイドレール５間の設置面に自動車を止め、コントロール部７を適宜操作して、該自動洗車機ＡＷにより所定の自動洗車作用を実行させる。尚、このような自動洗車機ＡＷの構造及び使用態様もまた、従来周知である。
【００２８】
また前記敷地Ｅには、スプレー式洗車機ＳＷ及び自動洗車機ＡＷで洗車を終えた自動車が退出する退出エリアの近くに複数台分の前記自由エリアＡｆ１〜Ａｆ３が配置され、更にその自由エリアＡｆ１〜Ａｆ３群に隣接して複数台分の実習エリアＡｊ１〜Ａｊ５群が配置され、更にその実習エリアＡｊ１〜Ａｊ５群を二分するようにして前記建物Ｂが配置される。
【００２９】
前記建物Ｂ内には、洗車場に来場したユーザが洗車作業の講習を受けるための講習スペースとしての講習室Ｃ１と、前記実習エリアＡｊ１〜Ａｊ５でユーザが洗車作業を実習する際にユーザに使わせる洗車器具、処理剤を保管するための保管スペースとしての保管室Ｃ２と、ユーザに洗車作業の指導を行う指導員と洗車場の管理者とを兼ねる作業員が待機する待機スペースとしての待機室Ｃ３とが区画、形成されており、待機室Ｃ３は、ユーザのための受付室および待合室を兼ねている。
【００３０】
前記講習室Ｃ１には、講義に用いる椅子、机の他、洗車作業の講習に用いる視聴覚機器９が設置されており、この視聴覚機器としては、例えばビデオ、ＤＶＤ、テレビ画面、スピーカ、講習用映画の映写機器及び映写用スクリーン等が適宜選定される。
【００３１】
また前記保管室Ｃ２には、複数の収納棚が設置され、それら収納棚には、車体面上の水垢、タールピッチ、鉄粉、油膜等の強固付着物を効果的に除去すべくユーザに使わせる洗車器具として、例えば電動式又はエア作動式のポリッシャー１０、高性能ブラシ１１、図示しない作業エプロン・拭きあげタオル、脚立等が多数保管され、また同じく処理剤として、各種強固付着物に対する除去に適した、ボトル状或いは缶状の専用ケミカル製品１２が多数保管される。
【００３２】
前記実習エリアＡｊ１〜Ａｊ５には、洗車器具としての電動式又はエア作動式のポリッシャー１０に対し動力を供給すべく着脱可能に接続されてそれを作動させるための附帯機器Ｓ、例えば電源装置又は高圧エア供給装置が設備されており、これにより、貸し出される洗車器具１０を屋外の実習エリアでも支障なく利用可能となる。
【００３３】
また前記待機室Ｃ３には、受付となる机、椅子の他、顧客管理及び用品管理に用いるパソコンＣＰが設けられる。更に待機室Ｃ３には、スプレー式洗車機ＳＷ及び自動洗車機ＡＷ並びに前記附帯機器Ｓの運転状況を集中監視する監視装置としての監視モニターＭが設けられ、この監視モニターＭを待機室Ｃ３で待機する作業員がチェックできるようにしており、これにより、必要最小限の人員配備で洗車場内の洗車機ＳＷ，ＡＷ及び附帯機器Ｓの運転状況を的確に監視でき、トラブルの発生にも迅速に対応可能となる。
【００３４】
次に前記実施例の作用を説明する。
【００３５】
洗車場にその出入口ＩＯから自動車で来場したユーザは、スプレー式洗車機ＳＷ及び自動洗車機ＡＷの何れかの設置面まで自動車を乗り入れて停車させ、その洗車機ＳＷ又はＡＷで洗車して、車体面に付着した泥、塵埃等の主要な汚れを取る。洗車後は、自由スペースＡｆ１〜Ａｆ３に自動車を移動させて、車体面に残る水滴の拭き取り等の仕上げ作業を行う。ここで、後述する洗車講習を受けないユーザは、洗車場から退出する。
【００３６】
ところで建物Ｂ内に待機する作業員は、洗車場に来場した直後の自動車、或いは上記洗車機ＳＷ又はＡＷによる洗車直後の自動車を見て、その車体塗装面の頑固な汚れ（即ち水垢、タールピッチ、鉄粉、油膜等の強固付着物の付着の程度）を診断し、その診断結果を記載した診断レポートをユーザに手渡す。そして、その診断結果（汚れの程度）に応じた最適の付着物除去工法および使用すべき洗車機器・処理剤について説明し、その付着物除去のための洗車作業の講習をユーザに勧める。
【００３７】
講習を決断したユーザは、洗車機ＳＷ又はＡＷによる洗車前又は洗車後において、敷地Ｅ内の図示しない駐車エリアに自動車を駐車させ、建物Ｂ内の講習室Ｃ１に入る。そこで指導員としての作業員が、視聴覚機器９を使用しながら、専門的洗車作業の知識や作業のコツ、使用する洗車機器・処理剤の使い方等についての講習をユーザに対して行う。
【００３８】
その講習が終わると、ユーザは待機室Ｃ３に移動して、これから行う洗車作業の実習に必要な洗車器具・処理剤を一式貸与されると共に、使用する実習エリアＡｊ１〜Ａｊ５の指定を受け、必要に応じて使用料金を作業員に支払う。
【００３９】
しかる後、ユーザは、指定された実習エリアＡｊ１〜Ａｊ５に自動車と共に移動し、洗車作業の実習を開始するが、その作業開始に当り、洗車機器の使用方法及び作業方法について不明な点を作業員に確認する。
【００４０】
実習作業時間（例えば３０分）は、実習受付の際に予め設定されており、その時間内にユーザは、講習で得た知識や、実習エリアＡｊ１〜Ａｊ５を巡回する作業員からの口頭指導を受けながら、そのユーザ自身が洗車作業を実行し、作業員が洗車作業の代行を行うことはない。尚、図３の（ａ）は、ユーザがポリッシャー１０を手にして車体面に対しポリッシュ作業を行っている様子の一例を、また（ｂ）は、ユーザが高性能ブラシ１１及びケミカル製品１２を手にして、車体樹脂部にこびりついた汚れの除去作業を行っている様子の一例を示している。
【００４１】
上記のようにして実習作業が終わると、ユーザは、貸与された洗車器具・処理剤の一式を建物Ｂ内で作業員に返却する。尚、設定時間内に作業が終わらない場合は、作業時間の延長手続きをすればよい。
【００４２】
以上により、専門的洗車作業の講習及び実習を終えたユーザは、随時、洗車場より退出する。尚、以上の作業手順の流れの概略を図４にフローチャートで示す。
【００４３】
上記実施例によれば、洗車場内に待機させる洗車場の管理者を兼ねる指導員により、ユーザに対し専門的洗車作業の指導を行わせ、且つ必要な洗車器具１０，１１・処理剤１２も洗車場に予め用意しておき、且つまた講習室Ｃ１で指導された洗車作業をユーザ自身が実際に行う実習エリアＡｊ１〜Ａｊ５も確保されているので、洗車知識や経験の乏しいユーザに対しても、水垢等の強固付着物を除去する専門的洗車作業のやり方や洗車器具の使い方を指導しながら、ユーザ自身にその専門的洗車作業を納得のいくまで十分に行わせることができる。また上記洗車器具１０，１１・処理剤１２の貸し出しによりユーザは、洗車器具・処理剤を特別に用意したり洗車場に持ち込む必要はなく、頗る便利である。また、上記指導員は、専門的洗車作業を代行せずに作業の仕方を単に指導するだけであるため、複数のユーザ相手でも時間を長く取られることなく容易に対応でき、しかもこの指導員に洗車場の管理者の役目も兼務させることができるため、洗車機ＡＷ，ＳＷ、附帯機器Ｓ等の機器のトラブルにも迅速に対応可能となり、従って専任の管理者や、専門的洗車作業の代行作業員を常駐させる場合と比べてコスト節減が図られる。
【００４４】
また本実施例では、ユーザが講習室Ｃ１で洗車の講習を受ける前に、そのユーザの自動車の汚れ診断を指導員が行い、その診断結果をユーザに伝えるようにしているため、ユーザは、自動車の汚れ具合（診断結果）に応じて、受けるべき講習内容を的確に選別可能となって、講習を効率よく有意義に受けることができる。
【００４５】
また特にユーザが講習室Ｃ１で洗車の講習を受ける前に、そのユーザの自動車を予め洗車場内の洗車機ＡＷ又はＳＷで洗車しておくようにすれば、その洗車後の車体面における強固付着物の付着状態（即ち洗車によってもなお残る汚れ具合）を的確に確認した上で、しかも車体面を予め適度に湿らせ且つ清浄にした状態で専門的洗車作業に移行できて、その洗車作業を迅速且つ的確に行うことができる。
【００４６】
以上、本発明による洗車機における車両上面洗車用ブラシ装置の実施例を詳説したが、本発明は前記実施例に限定されるものではなく、特許請求の範囲に記載された本発明を逸脱することなく、種々の小設計変更を行うことが可能である。
【００４７】
例えば、前記実施例では、洗車場の敷地Ｅ内に自動洗車機ＡＷとスプレー式洗車機ＳＷとを両方設置したものを示したが、本発明では、自動洗車機ＡＷとスプレー式洗車機ＳＷの少なくとも一方を省略してもよい。
【００４８】
また前記実施例では、自動洗車機ＡＷとして、洗車機本体６が停止車両の前後方向を往復走行して洗車処理を行う移動式洗車機を示したが、本発明の自動洗車機としては、固定の洗車機本体に対し車両を走行させて洗車処理を行う固定式洗車機を用いてもよい。
【００４９】
また前記実施例では、自動洗車機ＡＷやスプレー式洗車機ＳＷを、洗車終了後の車両が洗車機を通り抜けて（即ち車両をそのまま前進させて）退出するドライブスルー式としたものを示したが、本発明では、ドライブスルー式とせずに洗車終了後の車両を後退させて退出させるようにしてもよい。
【００５０】
また前記実施例では、洗車器具としてのポリッシャー１０に着脱可能に接続されてそれを作動させるための附帯機器Ｓを実習エリアＡｊ１〜Ａｊ５にだけ設けたが、本発明では、そのような附帯機器を自由エリアＡｆ１〜Ａｆ３にも配備可能である。
【００５１】
また前記実施例では、講習室Ｃ１において、そこに付設されるビデオ等の視聴覚機器９を用いて指導員が洗車講習を行うようにしたものを示したが、本発明では、視聴覚機器９だけで洗車講習を行うようにしてもよく、或いは視聴覚機器９を用いずに指導員が洗車講習を行うようにしてもよい。
【００５２】
また前記実施例では、ユーザが講習室Ｃ１で洗車の講習を受ける前に、そのユーザの自動車の汚れ診断を指導員が行い、その診断結果を該ユーザに伝えるようにしたが、本発明では、そのような汚れ診断作業を省略してもよい。
【００５３】
また前記実施例では、ユーザが講習を受け且つ実習する洗車作業として、車体面に強固に付着した水垢、タールピッチ、鉄粉、油膜等の強固付着物を綺麗に除去する車両清浄処理作業（即ち専門的洗車作業）を例示したが、本発明において、ユーザが講習を受け且つ実習する洗車作業としては、車室内の汚れ、例えばシートやマット等の汚れを除去する車両清浄処理作業も含まれる。
【００５４】
また前記実施例では、講習スペースとしての講習室Ｃ１と、保管スペースとしての保管室Ｃ２と、受付待機スペースとしての待機室Ｃ３とを同じ建物Ｂ内に設けたが、本発明では、その少なくとも一部のスペースを別棟の建物内に設けるようにしてもよい。
【００５５】
また前記実施例では、洗車場に待機する指導員に、洗車場の管理者を兼務させて人件コストを節減を図るようにしているが、本発明では、指導員と管理者とを各々専任とするようにしてもよい。
【００５６】
また前記実施例では、実習エリアＡｊ１〜Ａｊ５及び自由エリアＡｆ１〜Ａｆ３を屋根無しとしたが、本発明では、これらエリアの少なくとも一部に屋根を設けて、雨天時でも作業が行えるようにしてもよい。
【００５７】
また前記実施例では、実習で使用する処理剤としてのケミカル製品１２をユーザに貸し出すようにしたが、本発明では、その処理剤をボトルキープ制、或いは買い取り制としてもよい。
【図面の簡単な説明】
【００５８】
【図１】本発明の一実施例に係る洗車場の概略全体斜視図
【図２】前記洗車場の建物内の一例を示す平断面図
【図３】実習エリアでユーザが洗車作業を実習している状態を示す説明図
【図４】ユーザの洗車場入場から退場までの流れの一例を示すフローチャート
【符号の説明】
【００５９】
Ａｆ１〜Ａｆ３・・・自由エリア
Ａｊ１〜Ａｊ５・・・実習エリア
ＡＷ・・・自動洗車機
Ｂ・・・・建物
Ｃ１・・・講習スペースとしての講習室
Ｃ２・・・保管スペースとしての保管室
Ｅ・・・・敷地
Ｍ・・・・監視装置としての監視モニター
Ｓ・・・・附帯機器
ＳＷ・・・スプレー式洗車機
３・・・・スプレーガン
９・・・・視聴覚機器
１０・・・洗車機器としてのポリッシャー
１１・・・洗車機器としての高性能ブラシ
１２・・・処理剤としての専用ケミカル製品
【図１】
2005313811.tif 000003
【図２】
2005313811.tif 000004
【図３】
2005313811.tif 000005
【図４】
2005313811.tif 000006